(57)【要約】      （修正有）【課題】地震などの災害が発生した際、夜間の室内に於いて存在を目視でき、容易に見つけることができるマーキングペン、懐中電灯、及び眼鏡を提供する。【解決手段】懐中電灯の本体や眼鏡や眼鏡ケースおよびスマホケースに蓄光染料インクを塗布し、自然発光させることで、存在を目視できるようにする。夜間の停電で暗闇になっても、手に取ることができ、避難や二次災害防止などの諸活動を行うことができる。【選択図】図１
0003222787.tif 000002
【実用新案登録請求の範囲】
【請求項１】
暗闇に於いて自然発光する蓄光成分を含んだインク染料
【請求項２】
請求項１を用いた筆記用具
【請求項３】
蓄光染料を塗布した懐中電灯・メガネ・眼鏡ケース・コンタクトケース・スマホケース
【考案の詳細な説明】
【技術分野】
【０００１】本考案は、インクに蓄光成分を含んだペンに関するもの、および蓄光染料を塗布した懐中電灯・メガネ・眼鏡ケース・コンタクトケース・スマホケースです。
【背景技術】
【０００２】夜間の室内に於いて地震などの災害が発生した際、懐中電灯や眼鏡などを探そうにも停電による暗闇で手探りでした。
【考案の概要】
【考案が解決しようとする課題】
【０００３】暗闇のため全く見えない状態で、初動に必要な視力補助具や懐中電灯、スマホを見つける。
【課題を解決するための手段】
【０００４】蓄光染料インクで、懐中電灯・眼鏡の縁・眼鏡ケース・コンタクトケース・スマホケースに記して自然発光させることで、暗闇の中で存在を目視できるようにします。
【考案の効果】
【０００５】夜間の停電で暗闇になっても、蓄光染料インクで自然発光する懐中電灯や眼鏡やコンタクトレンズやスマホを手に取ることができ、避難や二次災害防止などの諸活動を行うことができます。
【図１】
0003222787.tif 000003
【図２】
0003222787.tif 000004
【図３】
0003222787.tif 000005
【図４】
0003222787.tif 000006
【手続補正書】
【提出日】平成31年1月17日(2019.1.17)
【手続補正１】
【補正対象書類名】実用新案登録請求の範囲
【補正対象項目名】全文
【補正方法】変更
【補正の内容】
【実用新案登録請求の範囲】
【請求項１】
暗闇に於いて自然発光する蓄光成分を含んだインク染料
【請求項２】
自然発光を特徴とする請求項１に記載の蓄光染料をインクとして用いたマーキングペン
【請求項３】
自然発光を特徴とする請求項１に記載の蓄光染料を塗布した懐中電灯・メガネ・眼鏡ケース・コンタクトケース・スマホケースのすべて。
【手続補正２】
【補正対象書類名】明細書
【補正対象項目名】全文
【補正方法】変更
【補正の内容】
【考案の詳細な説明】
【技術分野】
【０００１】
本考案は、蓄光成分を含んだインク、そのインクを用いたマーキングペン、および蓄光染料を塗布した懐中電灯・メガネ・眼鏡ケース・コンタクトケース・スマホケースのすべてです。
【背景技術】
【０００２】
夜間の室内に於いて地震などの災害が発生した際、懐中電灯や眼鏡などを探そうにも停電による暗闇で手探りでした。
【考案の概要】
【考案が解決しようとする課題】
【０００３】
暗闇のため全く見えない状態で、初動に必要な視力補助具や懐中電灯、スマホを見つける。
【課題を解決するための手段】
【０００４】
蓄光染料インクで、懐中電灯・眼鏡の縁・眼鏡ケース・コンタクトケース・スマホケースに記して自然発光させることで、暗闇の中で存在を目視確認できるようにします。
【考案の効果】
【０００５】
夜間の停電で暗闇になっても、蓄光染料インクで自然発光する懐中電灯や眼鏡やコンタクトレンズやスマホを手に取ることができ、避難や二次災害防止などの諸活動を行うことができます。
【図面の簡単な説明】
【０００６】
【図１】蓄光染料インクで「かいちゅうでんとう」と記した懐中電灯
【図２】蓄光染料インクで「メガネ」と記した眼鏡ケース、および、蓄光染料インクで縁を塗ったメガネ
【図３】蓄光染料インクで「コンタクト」と記したコンタクトケース
【図４】蓄光染料インクで「スマホ」と記したスマホケース
【手続補正書】
【提出日】平成31年4月7日(2019.4.7)
【手続補正１】
【補正対象書類名】実用新案登録請求の範囲
【補正対象項目名】全文
【補正方法】変更
【補正の内容】
【実用新案登録請求の範囲】
【請求項１】
暗闇に於いて自然発光する蓄光染料
【請求項２】
自然発光を特徴とする請求項１に記載の蓄光染料をインクとして用いたマーキングペン
【請求項３】
自然発光を特徴とする請求項１に記載の蓄光染料を塗布したメガネ。
【手続補正２】
【補正対象書類名】明細書
【補正対象項目名】全文
【補正方法】変更
【補正の内容】
【考案の詳細な説明】
【技術分野】
【０００１】
本考案は、蓄光染料およびその蓄光染料をインクとして用いたマーキングペンおよびその蓄光染料を塗布したメガネです。
【背景技術】
【０００２】
夜間の室内に於いて地震などの災害が発生した際、懐中電灯やメガネなどを探そうにも停電による暗闇で手探りでした。
【考案の概要】
【考案が解決しようとする課題】
【０００３】
暗闇のため全く見えない状態で、初動に必要なメガネやコンタクトレンズといった視力補助具や懐中電灯、スマホを見つける。
【課題を解決するための手段】
【０００４】
蓄光染料で、懐中電灯・メガネの縁・メガネケース・コンタクトケース・スマホケースに記して自然発光させることで、暗闇の中で存在を目視確認できるようにします。
【考案の効果】
【０００５】
夜間の停電で暗闇になっても、蓄光染料で自然発光する懐中電灯やメガネやコンタクトレンズやスマホを手に取ることができ、避難や二次災害防止などの諸活動を行うことができます。
【図面の簡単な説明】
【０００６】
【図１】蓄光染料で縁を塗ったメガネ）
【手続補正３】
【補正対象書類名】図面
【補正対象項目名】全図
【補正方法】変更
【補正の内容】
【図１】
0003222787.tif 000007
【手続補正書】
【提出日】令和1年7月4日(2019.7.4)
【手続補正１】
【補正対象書類名】実用新案登録請求の範囲
【補正対象項目名】全文
【補正方法】変更
【補正の内容】
【実用新案登録請求の範囲】
【請求項１】
自然発光する蓄光成分を含んだ蓄光顔料や蓄光染料などの蓄光塗料を用いたマーキングペン。
【請求項２】
自然発光を特徴とする請求項１に記載の蓄光塗料を塗布した眼鏡。
【請求項３】
自然発光を特徴とする請求項１に記載の蓄光塗料を塗布した懐中電灯。
【手続補正２】
【補正対象書類名】明細書
【補正対象項目名】全文
【補正方法】変更
【補正の内容】
【考案の詳細な説明】
【技術分野】
【０００１】
本考案は、蓄光成分を含んだ蓄光塗料を塗布することにより、停電時などの暗闇で自然発光する性質を利用して、初動に必要な物品の所在を目視確認できるようにするものです。
【背景技術】
【０００２】
夜間の室内に於いて地震などの災害が発生した際、懐中電灯や眼鏡などを探そうにも、停電による暗闇のなかで割れたガラスなどが散乱するのにもかかわらず、手探りに頼らざるを得ませんでした。
【考案の概要】
【考案が解決しようとする課題】
【０００３】
暗闇のため全く見えない状態で、初動に必要な眼鏡やコンタクトレンズといった視力補助具や懐中電灯、スマホを目視確認で見つける。
【課題を解決するための手段】
【０００４】
蓄光塗料を用いたマーキングペンで、懐中電灯・眼鏡の縁・眼鏡ケース・コンタクトケース・スマホに記して自然発光させることにより、暗闇の中で所在を目視確認できるようにします。
【考案の効果】
【０００５】
夜間の停電で暗闇になっても、蓄光塗料で自然発光する懐中電灯や眼鏡やコンタクトレンズやスマホを目視確認によって手に取ることができ、避難や二次災害防止などの諸活動を行うことができます。
【図面の簡単な説明】
【０００６】
【図１】蓄光塗料を用いたマーキングペン。文字記入用の細字タイプから面の塗装用の太字タイプまで、目的に応じたペンタイプを想定。
【図２】蓄光塗料で縁を塗った眼鏡。フレームの形を認識するために目の部分が塗装箇所。
【図３】蓄光塗料で全体を塗った懐中電灯。全体形状やスイッチを判別するために本体の全てが塗装箇所。
【手続補正３】
【補正対象書類名】図面
【補正対象項目名】全図
【補正方法】変更
【補正の内容】
【図１】
0003222787.tif 000008
【図２】
0003222787.tif 000009
【図３】
0003222787.tif 000010